(57)【要約】    【課題】      ユーザがパーソナルコンピュータ上でパネル画面を自在に編集でき（パラメータの変更作業を含む）、その編集内容を反映させたパネル画面データを登録でき、使用時に読み出して当該設定内容を使うことができるようにすること。    【解決手段】  複合機１００のパネル操作部１０１に設定されたパネル画面データを当該複合機１００からＰＣ端末１０３上に取り込み、ＰＣ端末１０３上でパネル画面を表示してパネル画面データの編集を行い、編集後の画面内容を反映させたパネル画面データを複合機１００に戻して登録し、当該パネル画面データを読み出して前記パネル操作部１０１に設定する。  【選択図】      図２
2005292259.tif 000002
【特許請求の範囲】
【請求項１】
複合機のパネル操作部に設定されたパネル画面データを当該複合機から設定端末上に取り込み、設定端末上でパネル画面を表示してパネル画面データの編集を行い、編集後の画面内容を反映させたパネル画面データを複合機に戻して登録し、当該パネル画面データを読み出して前記パネル操作部に設定する複合機のパネル設定方法。
【請求項２】
前記設定端末上でパネル画面を表示し、当該パネル画面に対するパネル操作に応じてコピー設定画面を表示し、コピー設定画面において入力されたパラメータを前記パネル画面データに反映し、コピー機能に関するパラメータを変更したパネル画面データを複合機に戻してパネル画面データとして登録することを特徴とする請求項１記載の複合機のパネル設定方法。
【請求項３】
設定端末から複合機に編集後のパネル画面データを登録した場合、ＩＤ番号を発行して前記設定端末へ通知し、複合機にＩＤ番号が入力されると該当するパネル画面データを読み出してパネル操作部に設定する請求項１又は請求項２記載の複合機のパネル設定方法。
【請求項４】
複合機のパネル操作部に設定されたパネル画面データを当該複合機から取得するパネル取得手段と、前記パネル画面データを用いて初期画面を表示し、操作内容に応じて初期画面からパラメータ設定画面へ遷移させる表示制御手段と、パラメータ設定画面に入力されたパラメータを前記パネル画面データに反映させるパラメータ変更手段と、パラメータ変更したパネル画面データを前記複合機に送信して登録依頼する登録依頼手段と、を具備する設定端末。
【請求項５】
設定端末からの要求に応じてパネル操作部に設定されたパネル画面データを送信するパネル送信手段と、前記設定端末から設定内容変更後のパネル画面データを受信して登録するパネル登録手段と、登録したパネル画面データに対するＩＤ番号を発行するＩＤ発行手段と、ＩＤ番号が入力されると該当するパネル画面データを読み出してパネル操作部に設定するパネル設定手段と、を具備する複合機。
【発明の詳細な説明】
【技術分野】
【０００１】
本発明は、少なくともコピー機能を含む複数機能を備えた複合機及び複合機のパネル設定方法に関する。
【背景技術】
【０００２】
最近は、電話機、ファクシミリ装置、複合機その他の情報機器において、ユーザに対して情報を表示したり、ユーザからの操作入力を受け付けたりするために、パネル（タッチパネルタイプの入力装置を含む）に操作画面を表示させるものが増えてきている。
【０００３】
例えば、プリンタ機能、インターネットファクシミリ機能、コピー機能、スキャナ機能を備えた複合機の場合、これら機能名を並べたメニューを操作画面に表示し、ユーザが所望の機能名を選択すると、当該選択機能を有効にするように制御する（例えば特許文献１参照）。具体的には、パネル画面に表示した機能から「コピー機能」を選択し、当該機能のパラメータ（コピー枚数等）を設定し、スタートボタンを押下すると、設定パラメータにしたがったコピー動作を実行する。
【特許文献１】特開平０６−２７６３３７号公報
【発明の開示】
【発明が解決しようとする課題】
【０００４】
しかしながら、従来の複合機はユーザがパーソナルコンピュータ上でパネル画面を自在に編集して（パラメータの変更作業を含む）、その編集内容を反映させたパネル画面データを複合機へ戻して当該ユーザのジョブ実行時に利用するといったことはできなかった。
【０００５】
本発明は、以上のような実情に鑑みてなされたもので、ユーザがパーソナルコンピュータ上でパネル画面を自在に編集でき（パラメータの変更作業を含む）、その編集内容を反映させたパネル画面データを登録でき、使用時に読み出して当該設定内容を使うことができる複合機及び複合機のパネル設定方法を提供することを目的とする。
【課題を解決するための手段】
【０００６】
本発明の第１の態様は、複合機のパネル操作部に設定されたパネル画面データを当該複合機から設定端末上に取り込み、設定端末上でパネル画面を表示してパネル画面データの編集を行い、編集後の画面内容を反映させたパネル画面データを複合機に戻して登録し、当該パネル画面データを読み出して前記パネル操作部に設定する複合機のパネル設定方法である。
【０００７】
このように構成された複合機のパネル設定方法によれば、複合機のパネル操作部に設定されたパネル画面データを設定端末に取り込んで編集して再び複合機のパネル操作部に設定できる。
【０００８】
本発明の第２の態様は、第１の態様の複合機のパネル設定方法において、前記設定端末上でパネル画面を表示し、当該パネル画面に対するパネル操作に応じてコピー設定画面を表示し、コピー設定画面において入力されたパラメータを前記パネル画面データに反映し、コピー機能に関するパラメータを変更したパネル画面データを複合機に戻してパネル画面データとして登録するものとした。
【０００９】
これにより、コピー機能のパラメータの設定を設定端末上で行うことができ、複合機においてその都度設定する手間を省くことができる。
【００１０】
本発明の第３の態様は、第１又は第２の態様の複合機のパネル設定方法において、設定端末から複合機に編集後のパネル画面データを登録した場合、ＩＤ番号を発行して前記設定端末へ通知し、複合機にＩＤ番号が入力されると該当するパネル画面データを読み出してパネル操作部に設定するものとした。
【００１１】
これにより、ユーザは複合機に事前に自分で設定したパネル画面データを登録しておけば、ＩＤ番号を複合機に入力するだけで事前の設定内容にてコピーなどの機能を実行することができ、使い勝手の良いものとなる。
【００１２】
本発明の第４の態様は、複合機のパネル操作部に設定されたパネル画面データを当該複合機から取得するパネル取得手段と、前記パネル画面データを用いて初期画面を表示し、操作内容に応じて初期画面からパラメータ設定画面へ遷移させる表示制御手段と、パラメータ設定画面に入力されたパラメータを前記パネル画面データに反映させるパラメータ変更手段と、パラメータ変更したパネル画面データを前記複合機に送信して登録依頼する登録依頼手段と、を具備する設定端末である。
【００１３】
このように構成された設定端末によれば、複合機のパネル操作部に設定されたパネル画面データを取り込んで画面表示するので、複合機のパネル操作部と同様に手順にてパラメータ設定が可能であり、しかもパラメータ設定内容をパネル画面データに反映させて複合機に登録することができる。
【００１４】
本発明の第５の態様は、設定端末からの要求に応じてパネル操作部に設定されたパネル画面データを送信するパネル送信手段と、前記設定端末から設定内容変更後のパネル画面データを受信して登録するパネル登録手段と、登録したパネル画面データに対するＩＤ番号を発行するＩＤ発行手段と、ＩＤ番号が入力されると該当するパネル画面データを読み出してパネル操作部に設定するパネル設定手段と、を具備する複合機である。
【００１５】
このように構成された複合機によれば、設定端末で設定したパネル画面データを登録すると共にＩＤ番号に基づいて管理し、ＩＤ番号の入力があれば該当するパネル画面データを読み出してパネル操作部に設定するので、ユーザはＩＤ番号を入力するだけで面倒なパラメータ設定を行うことなくコピー等の機能を実行できる。
【発明の効果】
【００１６】
本発明は、ユーザがパーソナルコンピュータ上でパネル画面を自在に編集でき（パラメータの変更作業を含む）、その編集内容を反映させたパネル画面データを登録でき、使用時に読み出して当該設定内容を使うことができる複合機及び複合機のパネル設定方法を提供できる。
【発明を実施するための最良の形態】
【００１７】
以下、本発明の複合機及び設定端末としてのパーソナルコンピュータ並びにパネル設定方法に関する一実施の形態について図面を参照して具体的に説明する。
【００１８】
図１は本実施の形態のシステム構成図である。複合機１００はパネル画面を表示するパネル操作部１０１を備えている。複合機１００はネットワークとしてのＬＡＮ１０２に接続している。同じＬＡＮ１０２に、あるユーザのＰＣ端末１０３が接続している。ＰＣ端末１０３にはディスプレイ装置１０４が接続される。なお、本実施の形態は、複合機１００が、コピー機能、スキャナ機能、ＦＡＸ機能、インターネットＦＡＸ機能、プリンタ機能といった機能を備えるが、例えばコピー機能だけのように単一機能であっても良い。
【００１９】
図３は複合機１００の機能ブロック図である。ＣＰＵ２００は、ＲＯＭ２０５に格納しているプログラムを読み出して命令を実行する。なお、ＣＰＵ２００がプログラムの命令を実行することにより、パネル送信手段、パネル登録手段、ＩＤ発行手段、パネル設定手段といった各手段を実現する。後述するパネル画面編集に関するプログラムはＲＯＭ２０５に記憶されている。パネル操作部１０１はパネル画面データが設定されていて、当該パネル画面データに基づいて初期画面、パラメータ設定画面等を表示する。スキャナ部２０２は原稿を光学的に走査して電気的な画像データに変換するユニットである。コピー機能、ＦＡＸ機能、インターネットＦＡＸ機能、スキャナ機能の画像入力部として機能する。ＦＡＸ音声処理部２０３はＰＳＴＮ２０９を介した通信処理（ファクシミリ通信、音声通信）を行うユニットである。ＬＡＮインターフェース２０４はローカルなネットワークとなるＬＡＮ１０２に物理的に接続してデータの送受信などの制御を行う部分である。ＲＡＭ２０６はＣＰＵ２００がプログラムを実行して各種処理を行う際の作業エリアとなる。データ蓄積部２０７は外部ハードディスクで構成される。プリンタ部２０８は、スキャナデータ、ＦＡＸ受信データを印刷するユニットである。
【００２０】
図１に示すＰＣ端末１０３は、複合機１００のパネル画面を編集設定するプログラム（以下、「リモートパネルプログラム」という）をインストールしている。リモートパネルプログラムは、複合機１００から取得するパネル画面データに基づいてパネル画面をディスプレイ装置１０４に表示させると共に、複合機１００のパネル操作部１０１と同じ手順で機能選択並びに選択機能のパラメータ設定を可能にする。さらに、パネル画面のレイアウト自体を編集する環境を提供する。ＰＣ端末１０３は、一般的なパーソナルコンピュータで構成されており、ＲＯＭに格納されたリモートパネルプログラムを読み出して実行することにより、パネル取得手段、表示制御手段、パラメータ変更手段、登録依頼手段を実現する。
【００２１】
次に、以上のように構成された本実施の形態の動作について説明する。
【００２２】
図２は本実施の形態におけるコピー設定事前登録の処理の流れを示す図である。先ず、ＰＣ端末１０３においてリモートパネルプログラムを起動してＬＡＮ１０２経由で複合機１００にアクセスしてログインする。そして、複合機１００から現在パネル操作部１０１に設定されているパネル画面データをＰＣ端末１０３に取り込んでディスプレイ装置１０４に表示する。ユーザはディスプレイ装置１０４に表示したパネル画面から所望の機能として例えばコピー機能を選択する。コピー機能を選択すると、パネル操作部１０１の操作環境と同様にコピー機能用のパラメータ設定画面が現れてコピー枚数等のパラメータを設定できる。
【００２３】
なお、パネル画面自体のレイアウトを変更できるように構成することが望ましい。例えば、表示文字を拡大したり、不要な機能ボタンを削除したりすることができるように構成することが望ましい。
【００２４】
パラメータ設定画面において設定した内容並びにパネル画面自体のレイアウト変更が発生した場合は、変更後のデータを複合機１００に対して登録する。複合機１００は、当該設定登録を受け付けるとＩＤ番号を発行する。発行ＩＤ番号はＰＣ端末１０３に送りディスプレイ装置１０４に表示する。
【００２５】
以上がコピー設定事前登録である。後から、複合機１００のパネル操作部１０１からＩＤ番号を入力すると、先にユーザが設定登録したコピー機能用のパラメータ設定を含むパネル画面データが読み出されてパネル操作部１０１に設定される。したがって、ユーザが原稿をセットしてスタートボタンを押下すれば、先に登録したパラメータ設定にしたがって複合機１００が動作してコピーが行われる。
【００２６】
次に、現行パネル取得動作、コピー設定事前登録動作、コピー実行動作について、フロー図を参照して具体的に説明する。なお、ＰＣ端末１０３はリモートパネルプログラムの制御下で処理が行われる。
【００２７】
図４に現行パネル取得動作のフロー図を示す。ＳＴ１では、複合機１００はＰＣ端末１０３からの接続待ち状態になっていて、そこにコピー設定事前登録を行おうとしたユーザがＰＣ端末１０３から複合機１００にログインする。
【００２８】
複合機１００ではログインがあると接続要求があったと判断する。そして、ログインしてきたＰＣ端端末１０３に対してユーザ認証要求を発行する。
【００２９】
ＳＴ２では、ＰＣ端末１０３はユーザ認証要求を受信する。ＳＴ３では、ＰＣ端末１０３はユーザ認証要求に対してパスワード等からなるユーザコードを送信する。複合機１００はＰＣ端末１０３から受信したユーザコードを用いて認証を行う。複合機１００は、認証に成功した場合は、ＰＣ端末１０３に対して認証成功通知を行う。
【００３０】
ＳＴ４では、ＰＣ端末１０３は認証成功通知を複合機１００から受信する。認証成功通知を受信できなかった場合はエラー処理を行って現行パネル取得動作を終了する。
【００３１】
今、認証が成功したものとする。ＳＴ５では、認証成功通知を受信した場合、ＰＣ端末１０３から複合機１００に対して現行パネル取得コマンドを送信する。複合機１００は、認証成功通知を送信した後、コマンド受信待ち状態に入り、パネル取得コマンドを受信すると、現行のパネル画面データを送信する。
【００３２】
ここで、現行のパネル画面データについて説明する。パネル操作部１０１は、各種機能名称からなる機能ボタンを表示した初期画面、各機能におけるパラメータを設定するパラメータ設定画面（１つ又は複数）、その他の操作画面を、操作内容にしたがって順番に表示する。本実施の形態では、パネル操作部１０１に表示される初期画面、パラメータ設定画面、その他の操作画面を、「パネル画面」と呼んでいる。また「パネル画面」を表示させるためのデータ（画面自体を構成する表示データ及び関連するデータを含む）を「パネル画面データ」と呼んでいる。
【００３３】
ＳＴ６では、「パネル画面データ」を取得している。ＰＣ端末１０３は、「パネル画面データ」に基づいてパラメータ設定画面を表示してパラメータの設定環境を提供できることとなる。ＳＴ７では、ＰＣ端末１０３がパネル受信完了してログアウトする。
【００３４】
以上のようにして、複合機１００のパネル操作部１０１で表示可能な現行のパネル画面データがＰＣ端末１０３に格納された。
【００３５】
次に、ＰＣ端末１０３上でパネル画面データを用いて機能選択してパラメータ設定する。図５はＰＣ端末１０３におけるコピー設定事前登録のフロー図である。ＰＣ端末１０３は、「現行パネル取得」で複合機１００から取得した「パネル画面データ」を利用してパネル初期画面をディスプレイ装置１０４に表示させる（Ｓ２００）。図６にパネル画面の遷移図を示している。図６のＭ１は初期画面の構成例である。「コピー」「スキャナ」「ファクス」「ｉファクス」「プリンタ」は対応した機能を選択する機能ボタンである。
【００３６】
今、ユーザは手持ちの原稿を複合機１００でコピーしようとしているものとする。この場合、ユーザはディスプレイ装置１０４に表示した初期画面から「コピー」ボタンを押下するので、その「コピー」ボタン押下を検出する（Ｓ２０１）。ディスプレイ装置１０４に表示したパネル画面上での選択はマウス等のポインティングデバイスを使用するものとする。
【００３７】
ＰＣ端末１０３は、「コピー」ボタンが押下されたことを検出すると、コピー機能に対応したパラメータ設定画面を表示させる（Ｓ２０２）。パラメータ設定画面データは「パネル画面データ」から取り出す。コピー設定画面は、用紙サイズ、倍率、コピー枚数、オプション設定等の項目から構成される。今、ユーザがコピー設定画面において用紙サイズをＡ４に変更し、コピー枚数を１０枚に設定し、オプション設定として両面印刷及び４イン１の集約・割付を設定した。この場合、「パネル画面データ」に含まれた用紙サイズのパラメータをＡ４に設定変更し（Ｓ２０３）、倍率を５０％に変更し（Ｓ２０４）、コピー枚数を１０枚に設定し（Ｓ２０５）、さらに印刷方式を両面印刷に設定すると共に集約・割付を４イン１に設定する（Ｓ２０６）。すなわち、ユーザがパラメータ設定画面に対して入力したパラメータを「パネル画面データ」に反映させる。図６の画面Ｍ２はパラメータ入力後のパラメータ設定画面である。
【００３８】
次に、パラメータ設定画面に設けられたスタートボタンが押下されたことを検出すると（Ｓ２０７）、通信中である旨の画面を表示させる（Ｓ２０８）。図６の画面Ｍ３のように「設定送信中」といったメッセージを表示させるようにしても良い。ＰＣ端末１０３はスタートボタンの押下を受けて、パラメータを反映させた「パネル画面データ」を複合機１００へ送信してコピー設定を要求する。
【００３９】
複合機１００において、前述のパラメータを反映させたパネル画面データにてコピー設定が登録されるとＩＤ番号が返されてくる。ＰＣ端末１０３は、ＩＤ番号を受信すると登録成功であると認識し（Ｓ２０９）、ディスプレイ装置１０４に受信ＩＤ番号を表示させる（Ｓ２１０）。図６の画像Ｍ４はジョブ登録直後のディスプレイ装置１０４の表示画面である。
【００４０】
逆に、複合機１００においてコピー設定が登録されなかった場合は、ディスプレイ装置１０４にエラー表示する（Ｓ２１１）。
【００４１】
以上のようにして、ＰＣ端末１０３において「パネル画面データ」を編集して（コピー設定に関するパラメータ変更も編集の１つ）、編集後の「パネル画面データ」を複合機１００へ送信してパネル設定登録するとＩＤ番号が発行される。ＯＫボタンを押下すると初期画面Ｍ１に戻り別の編集が可能になる。
【００４２】
図７は上記コピー設定登録の処理内容を示すフロー図である。複合機１００はコマンド待ち状態になっていて（Ｓ３００）、ＰＣ端末１０３が複合機１００に対してコピー設定登録のコマンドを送信する（Ｓ４００）。また、パラメータ入力後の「パネル画面データ」をコピー設定として複合機１００へ送信する（Ｓ４０１）。
【００４３】
複合機１００は、コピー設定登録のコマンドを受信した後（Ｓ３０１）、コピー設定を受信する（Ｓ３０２）。コピー設定である全ての「パネル画面データ」を受信完了したら（Ｓ３０３）、当該コピー設定に対するＩＤ番号を発行する。具体的には、ＰＣ端末１０３から受信した「パネル画面データ」をデータ蓄積部２０７に管理番号を付して格納する。当該管理番号をＩＤ番号として発行する。なお、管理番号とＩＤ番号とは一致させる必要はないが、後でＩＤ番号入力されたときにデータ蓄積部２０７から該当する「パネル画面データ」を取り出せる仕組みとなっている必要がある。発行ＩＤ番号はＰＣ端末１０３へ送信する（Ｓ３０４）。
【００４４】
ＰＣ端末１０３は、複合機１００からＩＤ番号を受信すると（Ｓ４０２）、複合機１００に対してログアウトを要求して処理を終了する（Ｓ４０３）。ログアウト要求を受けた複合機１００はＰＣ端末１０３との接続を終了する。
【００４５】
以上のようにして、ＰＣ端末１０３で編集した「パネル画面データ」が複合機１００のデータ蓄積部２０７にＩＤ番号にて管理された状態となる。
【００４６】
図８は、複合機１００において事前登録したコピー設定を読み出してコピー作業を実施する場合の手順を示している。ユーザは複合機１００が先に発行したＩＤ番号を、複合機１００のパネル操作部１０１から入力する（Ｓ５００）。複合機１００は入力ＩＤ番号の認証を行う（Ｓ５０１）。当該ＩＤ番号にて管理された「パネル画面データ」が事前登録されていれば認証成功する（Ｓ５０２）。認証成功した場合、複合機１００は当該ＩＤ番号にて管理している「パネル画面データ」をデータ蓄積部２０７から読み出して、パネル操作部１０１に設定する。
【００４７】
ユーザが原稿をセットしてコピーのスタートボタンを押下すると（Ｓ５０３）、パネル操作部１０１に設定した「パネル画面データ」にしたがってコピー動作が実行される。すなわち、コピー設定を事前に登録しているので、原稿を設定してスタートボタンを押下するだけで、図６のパラメータ設定画面Ｍ２の内容にてコピー動作が実行される。
【００４８】
なお、複合機１００に登録した「パネル画面データ」がいつまでも残されていると、記憶容量を圧迫するので、期限付きＩＤを発行して期限内に実行しないと自動的に当該「パネル画面データ」を削除するように構成することが望ましい。期限はＩＤ番号と共にＰＣ端末１０３へ送信するようにしても良いし、ＰＣ端末１０３側で任意の期限を設定するようにしても良い。ＰＣ端末１０３側で任意の期限を設定した場合は、当該期限が複合機１００に通知される。
【００４９】
また、ユーザが複合機１００に複数の「パネル画面データ」を登録することも想定されるが、一人のユーザが登録可能な数を制限するようにしても良い。複合機１００がユーザ毎に登録数を管理しておき、登録要求があったとき又はログイン要求があったときに判断して制限をかけるように構成する。
【００５０】
なお、以上の説明は、パネル画面データの編集の一例としてパラメータ設定画面のパラメータ変更に関するものを説明したが、初期画面、パラメータ設定画面、その他の操作画面の画面レイアウトを編集して、パネル画面データとして複合機１００に登録するようにしてもよい。また、レイアウト変更のパネル画面でパラメータ設定してもよい。
【産業上の利用可能性】
【００５１】
本発明は、ユーザがパーソナルコンピュータ上でパネル画面を自在に編集でき（パラメータの変更作業を含む）、その編集内容を反映させたパネル画面データを登録でき、使用時に読み出して当該設定内容を使うことができ、複合機に適用可能である。
【図面の簡単な説明】
【００５２】
【図１】本発明の一実施の形態に係る複合機システムのシステム構成図
【図２】上記実施の形態におけるコピー設定事前登録の概略図
【図３】上記実施の形態における複合機の機能ブロック図
【図４】上記実施の形態における現行パネル取得のフロー図
【図５】上記実施の形態におけるコピー設定事前登録のフロー図
【図６】コピー設定事前登録時の画面遷移図
【図７】上記実施の形態における設定登録のフロー図
【図８】コピー実行時のフロー図
【符号の説明】
【００５３】
１００  複合機
１０１  パネル操作部
１０２  ＬＡＮ
１０３  ＰＣ端末
１０４  ディスプレイ装置
２００  ＣＰＵ
２０２  スキャナ部
２０３  ＦＡＸ音声処理部
２０４  ＬＡＮインターフェース
２０５  ＲＯＭ
２０６  ＲＡＭ
２０７  データ蓄積部
２０８  プリンタ部
２０９  ＰＳＴＮ
【図１】
2005292259.tif 000003
【図２】
2005292259.tif 000004
【図３】
2005292259.tif 000005
【図４】
2005292259.tif 000006
【図５】
2005292259.tif 000007
【図６】
2005292259.tif 000008
【図７】
2005292259.tif 000009
【図８】
2005292259.tif 000010